(57)【要約】【課題】既存の換気構造を利用して、最小限の設備で屋根への積雪を防止する。【解決手段】居室１４の天井板１６に吊り下げられた循環扇１８と、この循環扇１８により屋根材２２の下の屋根裏板２４に沿って軒先３２から換気棟包み３０に向かう暖気の流れを形成する。天井板１６を貫通する通気口２０を備え、通気口２０は、屋根材２２の最下部の軒先３２に接近した位置に配置されている。屋根材２２の下の屋根裏板２４に沿って、軒先３２から換気棟包み３０に向かう暖気の流れを形成するので、軒先３２に近い屋根材２２が最も暖められて、効果的に融雪ができる。【選択図】図１
0003168806.tif 000002
【実用新案登録請求の範囲】
【請求項１】
屋根材２２の最下部の軒先３２に接近した位置に配置され、居室１４の天井板１６の直下に滞留する暖気を通過させるように、前記天井板１６を貫通する複数の通気口２０と、屋根材２２を支え、前記暖気による熱を受けて温度上昇し、前記屋根材２２に伝える瓦敷２６及び屋根裏板２４と、前記通気口２０から前記屋根裏板２４に沿って流れる暖気を外部に排出する換気棟包み３０とを備えたことを特徴とする融雪装置。
【請求項２】
請求項１に記載の融雪装置において、
天井板１６の直下に滞留する暖気を前記通気口２０の方向に押し流す循環扇１８を、前記天井板１６に吊り下げたことを特徴とする融雪装置。
【請求項３】
請求項１または２に記載の融雪装置において、
前記屋根裏板２４には、一端を前記屋根裏板２４の下面に露出させ、他端を前記瓦敷２６と連結して、前記屋根裏板２４の下面に沿って流れる暖気の熱を受けて温度上昇し、その熱を瓦敷２６に伝える伝熱体３４が埋め込まれていることを特徴とする融雪装置。
【請求項４】
請求項１乃至３のいずれかに記載の融雪装置において、
前記天井板１６を貫通する通気口２０に接近した位置に、前記屋根裏板２４を貫通する透孔２８を備え、前記通気口２０と前記透孔２８とはいずれも、屋根材２２の最下部の軒先３２に接近した位置に配置されていることを特徴とすることを特徴とする融雪装置。
【請求項５】
請求項４に記載の融雪装置において、
前記通気口２０の近傍に、透孔２８以外への暖気の流れを塞ぐ案内板２１を設けたことを特徴とする融雪装置。
【請求項６】
請求項１乃至５のいずれかに記載の融雪装置において、
前記透孔２８の近傍に、前記瓦敷２６または屋根裏板２４の温度を検出する温度センサ３８を配置し、この温度センサ３８は、前記居室１４を暖める空調機３６に対して、検出温度が基準値以下のときに暖房運転をするようにオンオフ制御する制御信号を出力することを特徴とする融雪装置。
【考案の詳細な説明】
【技術分野】
【０００１】
本考案は屋根の積雪を防止する融雪装置に関する。
【背景技術】
【０００２】
屋根に積もった雪を下ろすための事故が、いっこうに無くならない。自動的に融雪をするために散水をする方法や電熱を使う方法等も知られているが、設備費や維持管理費が高額になる。比較的簡易な設備で済む方法として、屋根面に暖気を送る各種の融雪装置が開発されている。
【先行技術文献】
【特許文献】
【０００３】
【特許文献１】特開１９９３−５２０６７号公報
【特許文献２】特開２００８−１０１３５８号公報
【特許文献３】特開２０１０−７２７２号公報
【考案の概要】
【考案が解決しようとする課題】
【０００４】
既知の従来の技術には、次のような解決すべき課題があった。
既知の融雪装置は、暖気を通すための通路が複雑になり、暖気を生成する装置や配管等の設備費がかかるという問題があった。上記の課題を解決するために、本考案は、既存の換気構造を有効に利用して、最小限の設備で屋根への積雪を防止する融雪装置を提供することを目的とする。
【課題を解決するための手段】
【０００５】
以下の構成はそれぞれ上記の課題を解決するための手段である。
〈構成１〉
屋根材２２の最下部の軒先３２に接近した位置に配置され、居室１４の天井板１６の直下に滞留する暖気を通過させるように、前記天井板１６を貫通する複数の通気口２０と、屋根材２２を支え、前記暖気による熱を受けて温度上昇し、前記屋根材２２に伝える瓦敷２６及び屋根裏板２４と、前記通気口２０から前記屋根裏板２４に沿って流れる暖気を外部に排出する換気棟包み３０とを備えたことを特徴とする融雪装置。
【０００６】
〈構成２〉
構成１に記載の融雪装置において、天井板１６の直下に滞留する暖気を前記通気口２０の方向に押し流す循環扇１８を、前記天井板１６に吊り下げたことを特徴とする融雪装置。
【０００７】
〈構成３〉
構成１または２に記載の融雪装置において、前記屋根裏板２４には、一端を前記屋根裏板２４の下面に露出させ、他端を前記瓦敷２６と連結して、前記屋根裏板２４の下面に沿って流れる暖気の熱を受けて温度上昇し、その熱を瓦敷２６に伝える伝熱体３４が埋め込まれていることを特徴とする融雪装置。
【０００８】
〈構成４〉
構成１乃至３のいずれかに記載の融雪装置において、前記天井板１６を貫通する通気口２０に接近した位置に、前記屋根裏板２４を貫通する透孔２８を備え、前記通気口２０と前記透孔２８とはいずれも、屋根材２２の最下部の軒先３２に接近した位置に配置されていることを特徴とすることを特徴とする融雪装置。
【０００９】
〈構成５〉
構成４に記載の融雪装置において、前記通気口２０の近傍に、透孔２８以外への暖気の流れを塞ぐ案内板２１を設けたことを特徴とする融雪装置。
【００１０】
〈構成６〉
構成１乃至５のいずれかに記載の融雪装置において、前記透孔２８の近傍に、前記瓦敷２６または屋根裏板２４の温度を検出する温度センサ３８を配置し、この温度センサ３８は、前記居室１４を暖める空調機３６に対して、検出温度が基準値以下のときに暖房運転をするようにオンオフ制御する制御信号を出力することを特徴とする融雪装置。
【考案の効果】
【００１１】
〈構成１の効果〉
居室１４の天井板１６の直下に滞留する暖気の熱を、既存の換気構造を利用して屋根材２２に伝えて、積雪を防止する。屋根材２２の下の屋根裏板２４に沿って通気口２０から換気棟包み３０に向かう暖気の流れを利用するので、軒先３２に近い屋根材２２が最も暖められて、効果的に屋根に付着した雪の融雪ができる。また、融雪用の熱源を必要としない。熱を伝えるための複雑な配管等も不要である。
〈構成２の効果〉
循環扇１８により屋根材２２の下の屋根裏板２４に沿って軒先３２から換気棟包み３０に向かう暖気の流れを強制的に形成することができる。
〈構成３の効果〉
屋根裏を流れる暖気の熱が、伝熱体３４と瓦敷２６を伝わって屋根材２２を暖めることができる。屋根裏板２４の断熱性が高い場合に有効である。
〈構成４の効果〉
屋根裏板２４を貫通する透孔２８を通じて、屋根材２２と屋根裏板２４の間を暖気が通過する。瓦敷２６と屋根裏板２４がこの暖気の流れによる熱を受けて温度上昇する。屋根材２２も直接暖気に触れて温度上昇する。従って、効率良く融雪できる。
〈構成５の効果〉
暖気を屋根材２２と屋根裏板２４の間に集中的に流すことができる。
〈構成６の効果〉
居住者が不在のときは、居室１４の天井板１６の直下に暖気が滞留することがない。そこで、空調機３６を運転して自動的に暖気を生成して融雪機能を発揮させる。
【図面の簡単な説明】
【００１２】
【図１】実施例１の融雪装置を示す住宅の屋根の縦断面図である。
【図２】住宅の屋根の外観図である。
【図３】実施例１の融雪装置の下部の拡大縦断面図である。
【図４】実施例１の融雪装置の上部の拡大縦断面図である。
【図５】実施例２の融雪装置の下部の拡大縦断面図である。
【図６】実施例２の融雪装置の上部の拡大縦断面図である。
【図７】実施例３の融雪装置の下部の拡大縦断面図である。
【図８】天井板１６と２４の平面図である。
【考案を実施するための形態】
【００１３】
以下、本考案の実施の形態を実施例毎に詳細に説明する。
【実施例１】
【００１４】
図１は実施例１の融雪装置１０を示す住宅の屋根の縦断面図である。図２はその外観図である。
この実施例の融雪装置１０は、居室１４の天井板１６の直下の暖気の流れを利用している。通常、冬の居室１４では、暖房による暖気が天井板１６の直下に集まる。通常、この部分が最も温度が高くなる。例えば天井板１６に循環扇１８を吊り下げておく。循環扇１８はこの暖気を居室１４の隅に押し流す役割を果たしている。居室１４の内部に自然対流が起きていれば、循環扇１８は無くても構わない。
【００１５】
気密性の良い近年の住宅には、換気のために、天井板１６の部屋の隅に近い部分に、天井板１６を貫通する通気口２０が設けられているものが多い。通気口２０から天井裏に抜けた空気は、屋根裏の最上部まで上昇し、換気棟包み３０を通じて外に排出されるように設計されている。既存の住宅で、通気口２０の無い場合には，後で図８で説明する要領で、通気口２０を新設するとよい。また、２階建て、３階建ての住宅であっても、換気のために、各階の天井板１６に上階に通じる通気口２０が設けられる。これらを利用するとよい。
【００１６】
ここで、本考案では、この通気口２０に近接した場所の屋根裏板２４に、屋根裏板２４を貫通する透孔２８を設けている。両者の位置関係は、後で図８を用いて説明する。通気口２０と透孔２８とは、いずれも、屋根材２２の最下部の軒先３２に接近した位置にのみ配置されている。既存の建物で、これ以外の位置に設けられた通気口２０は塞ぐとよい。通気口２０の無かった既存の住宅に通気口２０を新設する場合には、最上階の天井板１６の該当する位置に通気口２０を設けるとよい。一階に居間があり、最上階は寝室といった住宅でも、一階の居間から換気のための暖気が最上階まで上昇して、最上階の天井板１６の直下に集まる。これの暖気を利用する。
【００１７】
図３と図４は、実施例１の融雪装置の詳細な縦断面図である。
図のように、通気口２０と透孔２８とは、通気口２０を通じて居室１４から天井板１６を突き抜けた暖気が、そのまま直線的に屋根材２２の裏面にまで達するような位置関係にあることが好ましい。暖気が他の経路を通らず、この経路に集中するように、通気口２０と透孔２８とを、屋根材２２の最下部の軒先３２に接近した位置にのみ配置した。なお、この実施例では屋根材２２が瓦である図を例示して説明をする。しかしながら、屋根材がスレートや金属板やプラスチック板等であっても、同様の効果がある。
【００１８】
以上の構造により、換気のために居室１４から通気口２０を抜けて排出される暖気は、透孔２８の直上の屋根材２２に衝突するように流れる。なお、この暖気の流れをさらに整えるために、例えば、通気口２０の近傍に、透孔２８以外への暖気の流れを塞ぐ案内板２１を設けるとよい。
【００１９】
このように、暖気の流れを形成すると、居室１４内の温度の高い暖気が軒先３２に近い屋根材２２を加熱する。さらに、透孔２８を通過した暖気は、屋根材２２と屋根裏板２４の間の隙間３３を通って、軒先３２から換気棟包み３０に向かう。そして、換気棟包み３０から外部に排出される。この隙間３３には屋根材２２を支える瓦敷２６が配置されている。瓦敷２６も暖気により加熱される。屋根裏板２４の、屋根材２２と対向する面も暖気により加熱される。
【００２０】
即ち、換気のために排出される暖気が、既存の通気口２０を通った後、屋根裏板２４に設けられた透孔２８に導かれることにより、屋根材２２とそれを支える構造物を加熱する。これにより、融雪効果を発揮する。この暖気はそのまま換気棟包み３０の方向に排出されるから、換気も妨げられない。また、降雪の有無にかかわらず、換気される暖気が常に隙間３３を流れるように設計されているので、降雪を検出して動作させる既存の融雪装置と比べて、降雪開始時の着雪を防ぐ効果が高い。また、既存の換気の流れを変えるだけで、融雪のための特別の熱源等を使用しないので、設備も簡単で済むという効果がある。
【実施例２】
【００２１】
図５と図６とは、実施例２の融雪装置の詳細な縦断面図である。
この実施例では、天井板１６の通気口２０を通り抜けた暖気が、屋根裏板２４の下面に沿って上昇し換気棟包み３０に向かう。即ち、天井板１６を貫通する通気口２０を抜けた暖気は、屋根裏の最上部の換気棟包み３０に達してから外部に排出される。この暖気の流れにより屋根裏板２４が加熱される。
【００２２】
しかし、屋根裏板２４が断熱性が高いと、その熱が屋根材２２まで伝わらないことがある。そこで、屋根裏板２４の下面に沿って流れる暖気の熱を屋根材２２に伝える伝熱体３４が、瓦敷２６の直下に配置されている。伝熱体３４は、例えば、一端を屋根裏板２４の下面に露出させ、他端を瓦敷２６と連結した金属ボルトが適する。伝熱体３４は、屋根裏板２４の下面に沿って流れる暖気の熱を受けて温度上昇し、その熱を瓦敷２６に伝える。伝熱体３４は、屋根裏板２４に埋め込まれる金属板や金属棒である。屋根裏板２４に透孔を明けないので、屋根裏板２４に沿って軒先３２から換気棟包み３０に向かう暖気の流れを確保して、既存の換気機能を妨げないという効果がある。
【００２３】
実施例１と実施例２とは、換気のための暖気の流れを利用している点で共通している。また、軒先３２に近い屋根材２２が最初に加熱されるように、通気口２０は、屋根材２２の最下部の軒先３２に接近した位置に配置されている。また、伝熱体３４から瓦敷２６を経て屋根材２２を加熱できるように、伝熱体３４は瓦敷２６と一体化していることが好ましい。瓦敷２６も金属製であれば、屋根材２２を加熱する効果が高まる。
【実施例３】
【００２４】
図７は、実施例１と実施例２の構造をあわせて採用した融雪装置の縦断面図である。
図の天井板１６には、通気口２０が設けられている。また、屋根裏板２４には、透孔２８が設けられている。これは実施例１と同様の構造である。また、屋根裏板２４には、伝熱体３４が埋め込まれており、瓦敷２６と連結されている。これは実施例２と同様の構造である。即ち、この実施例では、屋根裏板２４の上面と下面を流れて換気される暖気の熱を屋根材２２に伝えて、融雪効果を得ている。従って、換気される暖気の熱を可能な限り屋根材２２側に伝えることができる。その他の効果は実施例１や２と変わらない。
【００２５】
居室１４で居住者が生活しているときは常に天井板１６の直下の暖気が換気されるので、屋根材２２が加熱されて融雪効果を発揮する。しかしながら、居住者が不在のときは暖気が不足し、積雪を阻止できない。そこで、この実施例では、屋根材２２と天井板１６の間の隙間３３に温度センサ３８を取付けた。図の例では、透孔２８の近傍に温度センサ３８を配置し、瓦敷２６または屋根裏板２４の温度を検出する。一方、居室１４側には、空調機３６を設ける。これは、既存のエアコンでよい。温度センサ３８は、居室１４を暖める空調機３６に対して、検出温度が基準値（例えば、摂氏５度）以下のときに暖房運転をするようにオンオフ制御する制御信号を出力する。不在のときは、この制御により、自動的に天井板１６の直下に暖気の流れを作るとよい。
【００２６】
図８は天井板１６と２４の平面図である。
図８の（ａ）は天井板１６を居室１４側から見た平面図である。図のように、複数の通気口２０が天井板１６の隅に近い部分に配置されている。これらの通気口２０はいずれも、屋根材２２の最下部の軒先３２に接近した位置のみに直線的に配列されている。一方、図８の（ｂ）は屋根裏板２４を天井板１６側から見た平面図である。図のように、伝熱体３４は、通気口２０の直上に位置するように設けられている。また、伝熱体３４は通気口２０と同様に、屋根材２２の最下部の軒先３２に接近した位置のみに直線的に配列されている。伝熱体３４は図のように、瓦敷２６を屋根裏板２４に固定しかつ電熱の役割を果たすために、列状に設けられている。これで、十分な熱を屋根材２２側に伝達できる。
【符号の説明】
【００２７】
１０  融雪装置
１４  居室
１６  天井板
１８  循環扇
２０  通気口
２１  案内板
２２  屋根材
２４  屋根裏板
２６  瓦敷
２８  透孔
３０  換気棟包み
３２  軒先
３３  隙間
３４  伝熱体
３６  空調機
３８  温度センサ
【図１】
0003168806.tif 000003
【図２】
0003168806.tif 000004
【図３】
0003168806.tif 000005
【図４】
0003168806.tif 000006
【図５】
0003168806.tif 000007
【図６】
0003168806.tif 000008
【図７】
0003168806.tif 000009
【図８】
0003168806.tif 000010